(57)【要約】シリンダケースと、このシリンダケース内で回転可能であるシリンダコアとが備えられ、このシリンダコアが平鍵用の鍵通路と、鍵の制御面のための走査要素と、シリンダコアを回転しないようにロックするかまたは解放するロック要素とを備えている、シリンダ錠において、摺動可能な湾曲止め金（２６）がシリンダコア（２）内においてシリンダ錠の中心縦平面（７）に対して横向きの平面内に配置され、湾曲止め金の係止脚部（２７）が鍵通路（４）の幅狭側面にかぶさり、係止脚部が鍵（５）の制御面とばね力によってロック位置と解放位置の間で移動可能であり、平鍵を完全に差し込んだときに鍵の解放凹部（２９）に向き合い、鍵を完全に差し込んでいないときに鍵のロック側面（３０）によってシリンダケースの係止凹部（２８）内のロック位置に保持されることが提案される。
2004518045.tif 000002
【特許請求の範囲】
【請求項１】
シリンダケースと、このシリンダケース内で回転可能であるシリンダコアとが備えられ、このシリンダコアが平鍵用の鍵通路と、鍵の制御面のための走査要素と、シリンダコアを回転しないようにロックするかまたは解放するロック要素とを備えている、シリンダ錠において、摺動可能な湾曲止め金（２６）がシリンダコア（２）内においてシリンダ錠の中心縦平面（７）に対して横向きの平面内に配置され、湾曲止め金の係止脚部（２７）が鍵通路（４）の幅狭側面にかぶさり、係止脚部が鍵（５）の制御面とばね力によってロック位置と解放位置の間で移動可能であり、平鍵を完全に差し込んだときに鍵の解放凹部（２９）に向き合い、鍵を完全に差し込んでいないときに鍵のロック側面（３０）によってシリンダケースの係止凹部（２８）内のロック位置に保持されることを特徴とするシリンダ錠。
【請求項２】
湾曲止め金（２６）がシリンダコアの収容穴（４）内に摺動可能に配置された案内脚部（３３）と、この案内脚部から側方に突出する係止脚部（２７）を備えていることを特徴とする請求項１記載のシリンダ錠。
【請求項３】
湾曲止め金（２６）が一平面内に配置され、シリンダ錠の内側端部からの前記平面の間隔（Ｚ）が可変であり、前記平面が好ましくは第１のコアピンの手前に設けられていることを特徴とする請求項１または２記載のシリンダ錠。
【請求項４】
湾曲止め金（２６）を摺動可能に案内するためのスリット（３７）がシリンダコア（２）内に配置されていることを特徴とする請求項１〜３に記載のシリンダ錠。
【請求項５】
係止脚部（２７）が中心縦平面（７）の垂線に対して角度をなして配置されていることを特徴とする請求項１〜４のいずれか一つに記載のシリンダ錠。
【請求項６】
前記角度が約３０°であることを特徴とする請求項５記載のシリンダ錠。
【請求項７】
係止脚部（２７）が中心縦平面に対して垂直であり、かつ中心縦平面に対して傾斜したリブを有し、このリブが鍵の傾斜した解放凹部（２９）に係合することを特徴とする請求項１〜４のいずれか一つに記載のシリンダ錠。
【請求項８】
鍵が鍵切込みおよびまたは縦成形溝および側方の成形凹部のようなバリエーション要素を備えている、請求項１〜７のいずれか一つに記載のシリンダ錠のための平鍵において、鍵が背部（３８）に解放凹部（２９）と、それに続いて鍵尖端部の方に向いたロック側面（３０）を備えていることを特徴とする平鍵。
【請求項９】
鍵背部からの解放凹部（２９）の深さ（Ｙ）が、係止脚部（２７）の高さに一致し、ロック側面（３０）からの解放凹部（２９）の高さ（Ｘ）が前記深さ（Ｙ）よりも小さいことを特徴とする請求項８記載の平鍵。
【請求項１０】
解放凹部（２９）の位置が、鍵尖端部から見て可変であり、好ましくは第１の鍵切欠き（３６）の手前にあることを特徴とする請求項８または９記載の平鍵。
【請求項１１】
解放凹部（２９）が鍵背部（３８）に斜めに配置されていることを特徴とする請求項８〜１０のいずれか一つに記載の平鍵。
【発明の詳細な説明】
【０００１】
本発明は、シリンダケースと、このシリンダケース内で回転可能であるシリンダコアとが備えられ、このシリンダコアが平鍵用の鍵通路と、鍵の制御面のための走査要素と、シリンダコアを回転しないようにロックするかまたは解放するロック要素とを備えている、シリンダ錠に関する。
【０００２】
シリンダ錠の場合、差し込まれた鍵はいわゆる零位置でのみ引抜き可能である。鍵が他の回転位置で、特にシリンダコアの１８０°位置で引抜かれることを防止すべきである。従来の構造的な手段はすべての場合働かない。
【０００３】
しかし、シリンダコアが零位置にあるとき、回転時に引張り力を鍵に加えたときにも、鍵は引抜き可能であるべきである。これは例えば、回転した鍵によってドアを引いて閉めるときに生じ、引張りを維持して鍵を引き抜くようにする。錠の場合、回転時に引張り力によって錠内部にあるロック要素が挟まれるので、このロック要素は解放位置に達しないかあるいは鍵が短時間解放されて引き抜かれるときに初めて解放位置に達する。これは消費者にしばしば錠構造体の故障と見なされる。
【０００４】
本発明は、鍵が正確な所定の零位置でのみ引抜き可能であり、回転した位置では、鍵に引張り負荷が作用しても、錠内にあるロック要素が引張り負荷を受けないようにすべきであるという課題を解決すべきである。
【０００５】
この課題は、本発明に従い、摺動可能な湾曲止め金がシリンダコア内においてシリンダ錠の中心縦平面に対して横向きの平面内に配置され、湾曲止め金の係止脚部が鍵通路の幅狭側面にかぶさり、係止脚部が鍵の制御面とばね力によってロック位置と解放位置の間で移動可能であり、平鍵を完全に差し込んだときに鍵の解放凹部に向き合い、鍵を完全に差し込んでいないときに鍵のロック側面によってシリンダケースの係止凹部内のロック位置に保持されることによって解決される。
【０００６】
上記のシリンダ錠のための平鍵は、鍵が背部に解放凹部を備え、それに続いて鍵尖端部の方に向いたロック側面を備えていることを特徴とする。
【０００７】
他の有利な特徴は特許請求の範囲、次の記載および図面から明らかである。
【０００８】
次に、実施の形態に基づいて本発明を詳しく説明する。本発明の特徴は、任意の錠構造に適用可能であるので、この錠構造の適用は決して制限されない。錠のロック要素の引張り負荷解除の利点は、このようなすべての錠構造に当てはまる。
【０００９】
図１において、シリンダケース１内にシリンダコア２が回転可能に支承されている。回転は円筒形の回転面３に沿って行われる。鍵通路４に内には平鍵の形をした鍵５が装着される。この鍵の鍵先６は公知の鍵コアを備えている。錠の中心縦平面７内には、鍵５を有する鍵通路４と、コアピン穴８が設けられている。コアピン穴８内にはコアピン９が装着されている。このコアピンは鍵先６の鍵コアによってその位置を制御される。
【００１０】
コアピン穴８に対して平行に案内通路１０がシリンダコア２内に配置されている。この案内通路はシリンダコアを貫通している。案内通路１０内にはガイド１１が配置されている。このガイドは側方がコアピン９に装着されている。ガイド１１は鍵通路から離れたその側面１２に、解放溝１３を備えている。更に、ガイド１１の上端に、受け金１４が装着されている。この受け金は圧縮ばね１５に係合している。
【００１１】
案内通路１０の側方には、摺動可能なロック要素１７が凹部１６内に設けられている。このロック要素はばね１８によってシリンダケースの係止凹部１９の方に付勢されている。図１に示した、シリンダコアの回転していない位置では、ロック要素１７の係止突起２０が係止凹部１９に係合している。
【００１２】
ロック要素１７はその内側の端部に、各々のガイド１１に対向して走査ピン（接触感知ピン）２１を備えている。この走査ピンは、解放溝１３に挿入できるように寸法が定められている。
【００１３】
シリンダ錠の作用は次の通りである。
【００１４】
鍵５を差し込むと、コアピン９が鍵先６によってばね１５の押圧力に抗して対応する位置に下方に押圧される。ガイド１１が一緒に摺動する。この場合、鍵が正しいときには、解放溝１３は図示した位置に達するので、ロック要素１７の係止突起２０に対向する。それによって、シリンダコアを回転させると、ロック要素の係止突起２０は係止凹部１９から押し出される。この場合、走査ピン２１が解放溝１３に挿入される。それによって、シリンダコアは自由に回転可能である。
【００１５】
コアピン９とガイド１１をそれぞれ複数配置すると、ロック要素１７が解放位置に達することができるようにするためには、このコアピンとガイドはすべて上記位置を占めなければならない。
【００１６】
不正の鍵が使用されると、コアピン９とそれに連結されたガイド１１は異なる位置を占めるので、走査ピン２１はガイドの側面１２に接触したままであり、それによって錠はロックされている。
【００１７】
ガイド１１の回転平面内において、シリンダケース１はそれぞれ環状溝２２を備えている。この環状溝はシリンダコア２の方に開放している。環状溝２２の幅はガイドの幅と同じかあるいはそれによりも大きい。環状溝２２によって、ガイド１１とコアピン９のそれぞれの端部は解放される。それによって、一方ではストロークを大きくし、他方では両要素を長く形成することができるので、案内通路とコアピン穴８内での案内が改善される。更に、鍵が差し込まれていないときに、ガイド１１の上端が環状溝２２に係止する。それによって、コアの引抜き防止が達成される。従って、シリンダコアは公知の引抜き方法ではこじ開け不可能である。今まで知られている錠の特徴について、鍵５は、分割されたタンブラピンにとって普通であるように、従来の適当な平鍵に一致させることができる。本実施の形態では、鍵は縦方向成形溝２３と側方の成形凹部２４を備えている。この縦方向成形溝と成形凹部は公知のごとく、付加的な走査要素２５によって接触感知可能であり、付加的なバリエーションの設定を可能にする。
【００１８】
図１において、シリンダケースはウェブ３２を備えた従来のケーシング形状を有する。しかし、明らかなように、このウェブ３２には錠要素が設けられていない。それによって、円形シリンダにとって必要であるようなこのウェブ３２は省略可能であるかあるいは付加的な錠要素および固定要素のためにこのスペースを使用可能である。環状溝２２の配置は例示的なものにすぎず、この環状溝も省略可能である。
【００１９】
図２は、シリンダコアとシリンダケースの内側の（連結側の）端部の区間を、中心縦平面７に沿って切断した図である。鍵５が完全に差し込まれているので、個々の鍵切込み３６に付設されたすべての（ここでは図示していない）コアピンは、シリンダコア２がシリンダケース１と相対的に回転可能であるように調整されている。シリンダ錠の中心縦平面に対して横方向の平面内に、湾曲止め金２６が摺動可能に配置されている。この湾曲止め金はその係止脚部２７が鍵通路４の幅狭側面にかぶさっている。
【００２０】
特に図４から判るように、湾曲止め金２６の上端の係止脚部２７はシリンダケース１の係止凹部２８内にある。鍵５は係止脚部２７に対向して解放凹部２９を備えている。この解放凹部２９の結果、シリンダコアは自由に回転可能である。というのは、回転時に係止脚部２７が係止凹部２８から押し出され、解放凹部２９内に下方に自由に移動するからである。しかし、湾曲止め金のこの移動は、鍵が完全に差し込まれているときにのみ可能である。鍵が完全に差し込まれていないときには、鍵のロック側面３０が係止脚部２７の下方に位置することになるので、係止脚部２７は下方に移動できず、それによってシリンダコアは回転することがきない。
【００２１】
解放凹部２９の全深さ（Ｙ）は係止脚部２７の全高に等しくなるように採寸されている。係止凹部２８の深さＸは鍵尖端寄りのロック側面３０からの解放凹部２９の深さにほぼ一致している。
【００２２】
図２から推察されるように、ロック側面３０の位置は鍵背部３１に対して沈下部を形成している。この沈下部は係止脚部２７の下方での鍵尖端部の通過を可能にする。沈下部は更に、鍵の安全性に関する他の特徴を生じる。というのは、従来の平鍵はこのような沈下部なしには鍵通路に全部を差し込むことができないからである。
【００２３】
装置の作用は、ロック側面３０が鍵通路内への鍵の完全差し込みの直前に係止脚部２７に下から係合し、シリンダコアの過早の回転を防止することによって与えられる。それによって、コアピンは側方からの負荷されなくなる。このコアピンは各回転運動によって負荷解除される。というのは、鍵が完全に差し込まれたときに初めて回転は可能になるからである。
【００２４】
鍵が完全に挿入された図３の回転位置において、係止脚部２７が鍵をその位置に固定保持するので、鍵は引抜き不可能である。
【００２５】
図４から推察されるように、湾曲止め金２６は案内脚部３３を備えている。この案内脚部はばね３５の押圧力を受けて収容穴３４内で支承されている。
【００２６】
係止凹部２８に接触する係止脚部２７の外面３９は、係止脚部２７が他の係止凹部１９に係止できないような幅に形成されている。それいよって、シリンダコアの回転時に挟まって動かなくなることが回避される。
【００２７】
図２から更に判るように、湾曲止め金２６の位置は好ましくは、鍵尖端部から見て第１の鍵切欠き３６の手前にある。
【００２８】
しかし、間隔Ｚは基本的には可変であるので、湾曲止め金は鍵尖端部から更に離して設けることができる。
【００２９】
鍵尖端部からの間隔Ｚは変更可能である。それによって、バリエーションの数が増える。これは本発明の他の効果である。
【００３０】
図２〜５には、係止湾曲部材２７と解放凹部２９はそれぞれ、中心縦軸線７に対して垂直になるように、錠と鍵背部３８に横方向に形成されている。しかし、この配置は図６，７から判るように、斜めでも有利である。
【００３１】
図５はシリンダコアを上側から見たときの湾曲止め金２６の配置を示している。コアピン穴８はその中にコアピンが設けられていない状態を概略的に示してある。シリンダコア内においてスリット３７によって、図４からも推察できるような、係止脚部２７のための必要な運動空間が保証される。
【００３２】
湾曲止め金の配置と鍵の構造はその他の錠構造とほとんど無関係である。
【００３３】
図６に従って、湾曲止め金２６の係止脚部２７を錠の中心縦平面７に対して傾斜させることによって、シリンダ錠の変形が可能である。従って、ここでも、シリンダコアのスリット３７が斜めに設けられている。鉛直に対して角度は幾分誇張して示してあり、実際には約３０°である。これに応じて、図７では、鍵背部３８に解放凹部２９が斜めに配置されている。これはバリエーションの数と模倣ロック安全性（再ロック安全性）を高めるために役立つ。
【００３４】
その代わりに、錠内で、係止脚部２７の垂直配置を図２に従って、鍵背部における解放凹部２９の傾斜配置と組み合わせることができる。これは係止脚部２７に斜めのリブを配置することによって行われる。このリブは斜めの解放凹部を走査する。
【図面の簡単な説明】
【図１】
例示的にのみ形成された所定の種類の構造のシリンダ錠の横断面図である。
【図２】
鍵を差し込んだ、中立位置のシリンダコアの一部の概略的な縦断面図である。
【図３】
シリンダコアの回転位置を示す図である。
【図４】
図２のＩＶ−ＩＶ線に沿った断面図である。
【図５】
重要な錠部品を省略し、シリンダケースを切断した状態のシリンダコアの平面図である。
【図６】
変形の平面図である。
【図７】
他の変形の鍵背部の平面図である。
【国際公開パンフレット】
2004518045.tif 000003
2004518045.tif 000004
2004518045.tif 000005
2004518045.tif 000006
2004518045.tif 000007
2004518045.tif 000008
2004518045.tif 000009
2004518045.tif 000010
2004518045.tif 000011
2004518045.tif 000012
2004518045.tif 000013
2004518045.tif 000014
2004518045.tif 000015
2004518045.tif 000016
2004518045.tif 000017
2004518045.tif 000018
2004518045.tif 000019
2004518045.tif 000020
【国際公開パンフレット（コレクトバージョン）】
2004518045.tif 000021
2004518045.tif 000022
【国際調査報告】
2004518045.tif 000023
2004518045.tif 000024
2004518045.tif 000025
2004518045.tif 000026